(57)【要約】      （修正有）【課題】ルーバの開閉が、簡単な操作で確実にでき、かつ部材数が少なく、組立てが容易でコンパクトな構成の操作部材を有する建物用ルーバを提供する。【解決手段】ルーバ羽を所定角度開閉する操作部材は、受台と、アームおよびハンドルと、カバーを有しており、アームは受台に回転可能に一端側が軸支され、他端側には係合突起と被係止部が形成されており、ハンドルがアームの長手方向に沿ってカバーの外側にスライド可能にとりつけられており、受台又はカバーにはアームの被係止部が係合する係止部をアームが回転する際の被係止部の回転軌跡の位置に所定間隔をもって複数個形成しており、ルーバ羽の開閉に際しては、ハンドルをカバーの外側に引きだし、次いで所定位置への回転操作によってアームが回転し、同時に係合突起が上下動して突起に係合する連動バーを上下動し、次いで回転カムを介してルーバ羽が所定角度開閉する。【選択図】図１
0003119054.tif 000002
【実用新案登録請求の範囲】
【請求項１】
たて桟間に、その長手方向に沿って多数並設されているルーバ羽は、その一端が一方のたて桟に収められている回転軸に軸支されており、その他端は他方のたて桟に収められている回転カムの一端に軸支されており、該回転カムの他端は連動バーに係合されており、さらに該連動バーは操作部材に係合されており、該操作部材の操作によって連動バーが上下動することによって上記回転カムが回転し、同時にルーバ羽が所定角度開閉する構成を有する建物用ルーバにおいて、上記操作部材はたて桟又は横桟にとりつけられる受台と、該受台に収められるアームおよびハンドルと、これらを被覆して上記受台にとりつけられるカバーを有しており、さらに上記アームは受台に回転可能に一端側が軸支され、他端側には係合突起と被係止部が形成されており、かつハンドルが該アームの長手方向に沿ってカバーの外側にスライド可能にとりつけられており、さらに又上記受台又はカバーには上記アームの被係止部が係合する係止部を該アームが回転する際の被係止部の回転軌跡の位置に所定間隔をもって複数個形成しており、ルーバ羽の開閉に際しては、ハンドルをカバーの外側に引きだし、次いで所定位置への回転操作によってアームが回転し、同時に係合突起が上下動して該突起に係合する連動バーを上下動し、次いで回転カムを介してルーバ羽が所定角度開閉することを特徴とする建物用ルーバ。
【請求項２】
前記受台又はカバーの外周のハンドルが回転する箇所に、ハンドルをアームにスライドしてカバーの内側に引き入れる際に、ハンドルの把手部側に形成した係合部と係合してハンドルの回転を阻止する被係合部を形成したことを特徴とする請求項１記載の建物用ルーバ。
【請求項３】
前記受台又はカバーにはハンドルをアームにスライドしてカバーの外側に引き出した際にハンドルの内側に形成したガイド突起が係合し、ハンドルの外側へのスライドを阻止する凹み段部を該突起の回転軌跡の位置に形成したことを特徴とする請求項１又は請求項２記載の建物用ルーバ。
【考案の詳細な説明】
【技術分野】
【０００１】本考案はルーバ雨戸、ルーバ面格子、ルーバさく等に適用できる建物用ルーバに関する。
【背景技術】
【０００２】従来建物用ルーバは公知であり、本出願人もルーバ面格子を考案している。
【特許文献１】  特開２００１−３２６４６号公報
【考案の開示】
【考案が解決しようとする課題】
【０００３】ところが上記従来のルーバ面格子は、操作ハンドルの回転によって、ギアを回転し、このギアと噛合する回転ギアを介して回転カムを回転し、次いで連動バーを上下動し、ルーバ羽を開閉する構成である。かつ操作ハンドルの回転を所望位置で固定するストッパ機構を備えている構成である。【０００４】ところが上記公知の構成は、操作部材が複雑であり、大型であるために組み立て性、製造コスト、操作具合等においてやや問題があり、改良案としてより簡単な部材とし、より操作のしやすい、コンパクトな構成が望まれていた。
本考案は上記要求に応える建物用ルーバを提供する。
【課題を解決するための手段】
【０００５】本考案はつぎの特徴を備えている。
その一つは「たて桟間に、その長手方向に沿って多数並設されているルーバ羽は、その一端が一方のたて桟に収められている回転軸に軸支されており、その他端は他方のたて桟に収められている回転カムの一端に軸支されており、該回転カムの他端は連動バーに係合されており、さらに該連動バーは操作部材に係合されており、該操作部材の操作によって連動バーが上下動することによって上記回転カムが回転し、同時にルーバ羽が所定角度開閉する構成を有する建物用ルーバにおいて、上記操作部材はたて桟又は横桟にとりつけられる受台と、該受台に収められるアームおよびハンドルと、これらを被覆して上記受台にとりつけられるカバーを有しており、さらに上記アームは受台に回転可能に一端側が軸支され、他端側には係合突起と被係止部が形成されており、かつハンドルが該アームの長手方向に沿ってカバーの外側にスライド可能にとりつけられており、さらに又上記受台又はカバーには上記アームの被係止部が係合する係止部を該アームが回転する際の被係止部の回転軌跡の位置に所定間隔をもって複数個形成しており、ルーバ羽の開閉に際しては、ハンドルをカバーの外側に引きだし、次いで所定位置への回転操作によってアームが回転し、同時に係合突起が上下動して該突起に係合する連動バーを上下動し、次いで回転カムを介してルーバ羽が所定角度開閉することを特徴とする建物用ルーバ」である。【０００６】その二つは「上記構成の建物用ルーバにおいて、前記受台又はカバーの外周のハンドルが回転する箇所に、ハンドルをアームにスライドしてカバーの内側に引き入れる際に、ハンドルの把手部側に形成した係合部と係合してハンドルの回転を阻止する被係合部を形成したことを特徴とする建物用ルーバ」である。【０００７】その三つは「上記いずれかの構成の建物用ルーバにおいて前記受台又はカバーにはハンドルをアームにスライドしてカバーの外側に引き出した際にハンドルの内側に形成したガイド突起が係合し、ハンドルの外側へのスライドを阻止する凹み段部を該突起の回転軌跡の位置に形成したことを特徴とする建物用ルーバ」である。
【考案の効果】
【０００８】本考案の建物用ルーバは、ルーバ羽を開閉する操作部材が、たて桟又は横桟にとりつけられる受台と、該受台に収められるアームおよびハンドルと、これらを被覆して上記受台にとりつけられるカバーを有しており、さらに上記アームは受台に回転可能に一端側が軸支され、他端側には係合突起と被係止部が形成されており、かつハンドルが該アームの長手方向に沿ってカバーの外側にスライド可能にとりつけられており、さらに又上記受台又はカバーには上記アームの被係止部が係合する係止部を該アームが回転する際の被係止部の回転軌跡の位置に所定間隔をもって複数個形成した構成からなり、よってハンドルは所定角度の回転位置で前記アームの被係止部と受台又はカバーの係止部との係合によって支持固定され、ルーバ羽が極めて容易に所定の角度開閉する。かつ部材数も少なく、組み立てが容易であり、コンパクトな構成となる。【０００９】さらに前記受台又はカバーの外周のハンドルが回転する箇所に、ハンドルをアームにスライドしてカバーの内側に引き入れる際に、ハンドルの把手部側に形成した係合部と係合してハンドルの回転を阻止する被係合部を形成した構成からなり、所定の位置で上記係合部と被係合部は係合状態でハンドルの回転が阻止されるので、ルーバ羽に作用する風圧や振動等の外力に抗してルーバ羽は所定の開閉角度を保持した状態となる。【００１０】さらに又前記受台又はカバーにはハンドルをアームにスライドしてカバーの外側に引き出した際にハンドルの内側に形成したガイド突起が係合し、ハンドルの外側へのスライドを阻止する凹み段部を該突起の回転軌跡の位置に形成した構成からなり、ハンドルを外側に引いて所定角度回転する際のガイドとなるので、操作が極めて容易で、確実である。
【考案を実施するための最良の形態】
【００１１】本考案の実施形態を図面を用いて以下に説明する。
図１は本考案の建物用ルーバで、ルーバ面格子の略正面図である。
１は建物用ルーバ、２は両端ならびに中間のたて桟、３は横桟、４は上記たて桟間にその長手方向に沿って多数並設されているルーバ羽で、この実施例では左右一対のルーバ羽を有する構成の面格子である。【００１２】５は本考案の操作部材である。詳細は後述するが、この操作部材はそれぞれの面格子の端部のたて桟にとりつけられる受台と、該受台に収められるアームおよびハンドルと、これらを被覆して上記受台にとりつけられるカバーを有し、ハンドルの所定角度の回転操作によってルーバ羽が所定角度開閉する。ハンドルは９０〜１００度近く回転し、ルーバ羽も略９０度回転して全閉状態から全開状態（図示の状態）の範囲で開閉する。なお操作部材は横桟に取り付けるもよい。【００１３】図２は本考案の受台６で、合成樹脂製で、たて桟に止具を介してとりつけられる。一側には上下端に止具挿入孔６ａ，６ａ、中央にアームの軸をとりつける軸取付孔６ｂ、アームの係合突起が挿通される円弧状の挿通孔６ｃを形成し、他側に凹部状の係止部６ｄを、アームの凸部状の被係止部が係合するように該被係止部の回転軌跡の位置に所定間隔で多数個形成されている。【００１４】図３は本考案のアーム７で、合成樹脂製からなり、受台６に回転可能に一端側が軸ピンを介して軸支される。７ａは軸孔である。該アームの他端側には軸孔の近傍に前記挿通孔に挿通される係合突起７ｂが、さらに前記係止部６ｄに係合する突起状の被係止部７ｃが形成されている。７ｄはＵ字型の切欠孔で、図示より明らかなように被係止部７ｃを切欠片状に形成して弾性を保持せしめることにより係止部との弾性係合をより良好にしている。【００１５】図４は本考案のハンドル８で、合成樹脂製からなり、断面略凹型で、上記アーム７に長手方向において嵌合されており、スライド可能である。８ａはガイド突起で、ハンドルを外側に引いた際にカバーに形成している凹段部に当接して外側への移動が阻止される。
８ｂは係合部で、カバーの被係合部に係合してハンドルの同転を阻止する。８ｃは把手部である。【００１６】図５はアーム７にハンドル８を嵌合している状態を示し、Ａはハンドルをアーム側に引き入れた状態の略正面図、Ｂはハンドルを外側に引き出した状態の略平面図を示す。【００１７】図６は本考案のカバー９で、合成樹脂製からなり、前記したアームおよびハンドルを被覆して、受台６に止具を介して固定される。９ａは止具挿入孔、９ｂは軸取付孔、９ｃは凹段部、９ｄは凹状の被係合部である。凹段部９ｃにはハンドルを回転操作する際に外側に引出すとガイド突起８ａが当接する。その当接状態でハンドルを回転するために凹段部はガイド突起の回転軌跡の位置に、つまり回転軌跡の円弧に形成している。【００１８】図７は所望長さの連動バー１０で、金属製である。１０ａは回転カムの係合突起が係合する係合孔、１０ｂは後述の係合部材の係合突起が係合する係合孔で、２個設けている。【００１９】図８は連動バーにとりつける係合部材１１で、合成樹脂製からなり、Ａは平面図、Ｂは正面図を示す。１１ａは貫通口で前述のアームの係合突起７ｂが遊嵌される。１１ｂは連動バーが挿入される凹部で、１１ｃは略Ｕ字状の支持部、１１ｄは上下に２個設けている連動バーの係合孔が係合する係合突起である。鎖線で示す１０は連動バーで、係合孔に係合部材の係合突起１１ｄが嵌合して係合し、支持部１１ｃの凹部１１ｂに収納支持されている。
この係合部材１１に替えて連動バーに一体に係合片を折曲形成し、ア−ムの係合突起が係合して連動バーを上下動する構成にすることも可能である。【００２０】図９は本考案の上記説明の各部材を用いて組立てた建物用ルーバの組立て状態を示し、主に操作部材から連動バーへの作動状態を説明するための要部平面図である。たて桟２には操作部材５がきりつけられている。操作部材の受台６、カバー９が止具１２を介してたて桟にとりつけられている。受台６にはアーム７の一端が軸ピン１３を介して回転可能に軸支されており、該アームにハンドル８が外側にスライド可能にとりつけられている。一点鎖線で図示のハンドル８は外側に引出した状態である。【００２１】該アームには係合突起７ｂが、受台の挿通孔６ｃを挿通して、たて桟の中にまで突出して、係合部材１１の貫通口１１ａに遊嵌されている。
しかして該係合部材の支持部１１ｃの凹部１１ｂには連動バー１０が挿入されており、係合突起１１ｄが連動バーの係合孔１０ｂに係入されて一体的に形成されている。【００２２】図１０は図９と同様に本考案の各部材を用いて組立てた建物用ルーバの組立て状態を示し、主に連動バーからルーバ羽への作動状態を説明するための要部平面図である。
たて桟２に収められている連動バー１０には、その長手方向に形成した係合孔１０ａに回転カム１４の係合突起１４ａが係合している。回転カム１４の他端はルーバ羽４の突起部４ａに嵌着して一体的に連結されており、該回転軸４ｂはたて桟の内桟２ａの挿通孔２ａ１に回転可能に軸支されている。１５は回転カムとルーバ羽を支持している止具である。それゆえに連動バー１０の上下動によって回転カムは上下方向に回転し、ルーバ羽が開閉する。
以上本考案の実施例について説明したが、本考案はこれに限定されず、本考案の技術思想を逸脱しない範囲の設計変更は可能である。
【図面の簡単な説明】
【００２３】
【図１】本考案建物用ルーバの一実施例を示す略正面図。
【図２】同じく受台の略正面図。
【図３】同じくＡはアームの平面図、Ｂは正面図。
【図４】同じくＡはハンドルの平面図、Ｂは正面図、ＣはＢのＸ−Ｘ断面図。
【図５】同じくＡはハンドルをアーム側に引入れた状態の略正面図、Ｂはハンドルを外側に引出した状態の略平面図。
【図６】同じくＡはカバーの正面図、Ｂは背面図。
【図７】同じく連動バーの略正面図。
【図８】同じくＡは連動バーにとりつける係合部材の平面図、Ｂは正面図。
【図９】同じく建物用ルーバの組立て状態を示し、主に操作部材から連動バーへの作動状態を示す要部平面図。
【図１０】同じく建物用ルーバの組立て状態を示し、主に連動バーからルーバ羽への作動状態を示す要部平面図。
【符号の説明】
【００２４】１    建物用ルーバ
２    たて桟
２ａ  内桟
２ａ１挿通孔
３    横桟
４    ルーバ羽
４ａ  突起部
４ｂ  回転軸
５    操作部材
６    受台
６ａ  止具挿入孔
６ｂ  軸取付孔
６ｃ  挿通孔
６ｄ  係止部
７    アーム
７ａ  軸孔
７ｂ  係合突起
７ｃ  被係止部
７ｄ  切欠孔
８    ハンドル
８ａ  ガイド突起
８ｂ  係合部
８ｃ  把手部
９    カバー
９ａ  止具挿入孔
９ｂ  軸取付孔
９ｃ  凹段部
９ｄ  被係合部
１０  連動バー
１０ａ係合孔
１０ｂ係合孔
１１  係合部材
１１ａ貫通口
１１ｂ凹部
１１ｃ支持部
１１ｄ係合突起
１２  止具
１３  軸ピン
１４  回転カム
１４ａ係合突起
１５  止具
【図１】
0003119054.tif 000003
【図２】
0003119054.tif 000004
【図３】
0003119054.tif 000005
【図４】
0003119054.tif 000006
【図５】
0003119054.tif 000007
【図６】
0003119054.tif 000008
【図７】
0003119054.tif 000009
【図８】
0003119054.tif 000010
【図９】
0003119054.tif 000011
【図１０】
0003119054.tif 000012